(57)【要約】      （修正有）【課題】設置の簡素化、その構成部材のユニット化を図った室内金属製手摺を提供する。【解決手段】手摺部材１０と、これを支持する端部側支柱部材１３及び中間部支柱部材１６と、中間部支持部材１６の下端部を固定する下端支持部材２０とからなる。下端支持部材２０は有底の受容穴部を有し、前記中間部支柱部材１６の下端部が嵌入し固定される。その受容穴部の底面部に螺子穴を設け、階段等の踏面Ｓに螺着できる。手摺部材１０の一方の端部側を支持する端部側支柱部材１３の下端固定部は直接階段の踏面Ｓに螺着する。手摺部材１０の他方端部は壁面部Ｗに固定できる。中間部支柱部材１６は金属製角材からなる。中間部支柱部材１６の中間部分に装飾が施された装飾部１７，１８を設ける。【選択図】図３
0003184848.tif 000002
【実用新案登録請求の範囲】
【請求項１】
室内の階段又は廊下等の側縁部に設置され、複数の支柱部材とこれら支柱部材がその上端部で支持する手摺部材とから成る金属製手摺において、
手摺部材の一方の端部側を支持する端部側支柱部材の下端部又は手摺部材の他方の端部は、直接階段の踏面若しくは廊下等の床面又は壁面部に固定することができ
手摺部材の中間部を支持する中間部支柱部材は、当該中間部支柱部材の下端部を受容できる有底の受容穴部を有する下端支持部材により固定され、
当該下端支持部材は、その受容穴部の底面部に螺子穴が設けられ、当該螺子穴を介して階段の踏面又は廊下等の床面に螺着できることを特徴とする室内用金属製手摺。
【請求項２】
中間部支柱部材が金属製角型パイプ又は角材からなり、この中間部支柱部材を固定する下端支持部材の受容穴部が、前記金属製角型パイプ又は角材を嵌入受容できる平面視角型形状穴部からなり、その受容穴部の底面部中央に螺子穴が設けられていることを特徴とする請求項１に記載の室内用金属製手摺。
【請求項３】
中間支柱部材の内の少なくとも１つの中間部分に装飾が施されていることを特徴とする請求項１又は２に記載の室内用金属製手摺。
【請求項４】
手摺部材の一方端部側を支持する端部側支柱部材の下端部が階段の最下段の踏面に固定され、手摺部材の他方の端部は壁面部に固定され、
中間部支柱部材の下端部は、階段の各踏面に固定されている下端支持部材に固定されていることを特徴とする請求項１乃至３の何れか１項に記載の室内用金属製手摺。
【考案の詳細な説明】
【技術分野】
【０００１】
本考案は、室内の階段又は廊下等の側縁部に設置する転落防止用の金属製手摺の改良に関するものである。
【背景技術】
【０００２】
従来のこの種の手摺に関しては各種のものが存在するが、その一例として下記特許文献に記載の手摺を挙げることができる。
この手摺取付構造は、デザイン性が高く、階段の設置スペースを余分に要することもなく、高強度を有することを意図したものである。
【０００３】
その構成は、上部に笠木が固定される手摺支柱と、この手摺支柱の下端に形成される取付部材とから成る。
即ち、階段の踏板の側端側より挿入する開口を有する切欠孔が形成され、この切欠孔に手摺支柱の下端部を挿入し、取付部材を踏板の下面に当接すると共に踏板の下面側よりこれに固定し、この取付部材に手摺支柱の下端部が螺着されてなるものである。
【先行技術文献】
【特許文献】
【０００４】
【特許文献１】特開２００４−１６２５１８号公報
【考案の概要】
【考案が解決しようとする課題】
【０００５】
本考案においても、デザイン性の向上、設置スペースを余分に要する必要が無く、その強度をも有する手摺を提供することについては同様の目的を有するものであるが、本考案においては更に、設置施工の簡素化、手摺構成部材の簡略化、及び規格化とユニット化をその課題としている。
【課題を解決するための手段】
【０００６】
上記課題を解決するために、本考案の第１のものは、室内の階段又は廊下等の側縁部に設置され、複数の支柱部材とこれら支柱部材がその上端部で支持する手摺部材とから成る金属製手摺において、手摺部材の一方の端部側を支持する端部側支柱部材の下端部又は手摺部材の他方の端部は、直接階段の踏面若しくは廊下の床面又は壁面部に固定することができ手摺部材の中間部を支持する中間部支柱部材は、当該中間部支柱部材の下端部を受容できる有底の受容穴部を有する下端支持部材により固定され、当該下端支持部材は、その受容穴部の底面部に螺子穴が設けられ、当該螺子穴を介して階段の踏面又は廊下等の床面に螺着できることを特徴とする室内用金属製手摺である。
【０００７】
本考案の第２のものは、上記第１の考案において、中間部支柱部材が金属製角型パイプ又は角材からなり、この中間部支柱部材を固定する下端支持部材の受容穴部が、前記金属製角型パイプ又は角材を嵌入受容できる平面視角型形状穴部からなり、その受容穴部の底面部中央に螺子穴が設けられていることを特徴とする室内用金属製手摺である。
【０００８】
本考案の第３のものは、上記第１又は第２の考案において、中間支柱部材の内の少なくとも１つの中間部分に装飾が施されていることを特徴とする室内用金属製手摺である。
【０００９】
本考案の第４のものは、上記それぞれの考案において、手摺部材の一方端部側を支持する端部側支柱部材の下端部が階段の最下段の踏面に固定され、手摺部材の他方の端部は壁面部に固定され、中間部支柱部材の下端部は、階段の各踏面に固定されている下端支持部材に固定されていることを特徴とする室内用金属製手摺である。
【考案の効果】
【００１０】
本考案の第１のものにおいては、手摺部材の中間部を支持する中間部支柱部材が、その中間部支柱部材の下端部を受容できる有底の受容穴部を有する下端支持部材により固定される構成を有し、この下端支持部材は、その受容穴部の底面部に螺子穴が設けられ、当該螺子穴を介して階段の踏面又は廊下等の床面に螺着できるものである。
それ故、下端支持部材を予め階段の踏面や廊下等の床面に螺着しておくことにより、中間部支柱部材の下端部をこれら下端支持部材の受容穴部内に嵌入させ、単に組み付けることによってその固定が完了し、極めて簡単に設置することができるのである。
【００１１】
再度、階段部分に本考案の手摺を設置する例で説明すると、手摺部材に端部側支柱部材及び中間部支柱部材の上端部を溶接着したものを、予め階段の踏面に固定した下端支持部材の受容穴部内に中間部支柱部材の下端部を嵌入し、その後、手摺部材の一方の端部側の端部側支柱部材の下端部を階段の最下段の踏面に螺着し、他方、手摺部材の他方の端部を壁面部に螺着すれば、本考案に係る手摺を簡単に階段の側縁部に設置固定することができることとなるのである。
【００１２】
本考案の第２のものにおいては、中間部支柱部材が金属製角型パイプ又は角材からなり、この中間部支柱部材を固定する下端支持部材の受容穴部が、前記金属製角型パイプ又は角材を嵌入受容できる平面視角型形状穴部からなり、その受容穴部の底面部中央に螺子穴が設けられていることを特徴とするものである。
これにより、下端支持部材は、１本の螺子により階段の踏面等に固定され、しかも、下端支持部材として金属製角型パイプ又は角材を使用し、下端支持部材の受容穴部の側はこの角型の中間部支柱部材に適合する形状を有することによって、両者の嵌合又は嵌入による組み付け固定は極めて堅固なものとなり、その強度も十分なものとなる。
【００１３】
本考案の第３のものにおいては、中間部支柱部材の内の少なくとも１つのものの中間部に装飾を施したものであり、これによってデザイン性が向上し、室内用の手摺としてその部屋のデザインに適合するような各種のデザインを選択し、そのトータル的なデザインを構築することができることとなる。
【００１４】
本考案の第４のものにおいては、本考案に係る金属製手摺を室内の階段部分に設置固定できるものとして限定したものである。
また、上記何れの考案においても、手摺部材と端部側支柱部材及び中間部支柱部材、そして中間部支柱部材を固定する下端支持部材とから構成されているが、これらを１つのユニットとして組合せ、また、中間部支柱部材として装飾が施されたものを適宜組合せることによって、デザインの異なる１組の手摺セットとして製品化することができるものである。
【００１５】
そして、中間部支柱部材として金属製角型パイプ又は角材を利用することにより、その角型の中間部支柱部材の規格を統一化することにより下端支持部材も規格化され、汎用性も出て来ることとなり、各パーツを種々組み合わせることによりデザインの選択や変更を簡単に行ってユニット化することもできるものとなるのである。
【図面の簡単な説明】
【００１６】
【図１】本考案の室内用金属製手摺に係る一実施形態を示す分解説明図である。
【図２】上記実施形態に係る中間部支柱部材とその下端部を固定する下端支持部材を示しており、その（Ａ）が正面図、その（Ｂ）が下端支持部材の平面図である。
【図３】他の実施形態に係る手摺を室内階段部の下端部分に設置した状態を図示した説明図である。
【考案を実施するための形態】
【００１７】
以下、添付の図面と共に本考案の一実施形態について説明する。
尚、本考案に係る室内用金属製手摺は、室内の階段の側縁部、廊下や踊り場の側縁部、或いは室内の床面の側縁部等々、室内の構造に合わせて各種の場所に設置可能なものであるが、以下の実施形態では、階段の下方部分に設置する手摺として例示する。
【００１８】
図１は、本考案の室内用金属製手摺に係る一実施形態を示す分解説明図である。
本考案に係る手摺は、全て金属製であり、上端部に配置される手摺部材１０と、この手摺部材１０を支持する図中左端側の端部側支柱部材１３と、中間部に位置する中間部支柱部材１６と、この中間部支柱部材１６の下端部を固定する下端支持部材２０とから成る。
【００１９】
中間部支柱部材１６の数は自由である。
手摺部材１０の図中左側の左端部１１は、安全性を考慮して下方に折曲され、その図中右側の右端部も、下方に折曲されているが、この右端部は、室内の壁面部等に螺子により固定されるための固定部１２となる。
この固定部１２には、螺子を挿通させるための螺子挿通孔が複数設けられている。
【００２０】
手摺部材１０の表面は、その手触り感を木のような温もりを与えるように、ウェーブ研磨仕上げを施している。
またその表面には静電粉体塗装をしてもよく、勿論つや消し塗装を施すのも自由である。
【００２１】
端部側支柱部材１３は、その上端部で前記手摺部材１０に溶接着され、その下端部には階段踏面等に固定できる下端固定部１４が設けられている。
この下端固定部１４は、端部側支柱部材１３の外方に広がるような鍔部を有するものからなり、この鍔部に螺子穴が複数設けられており、螺子により階段の踏面に螺着固定される。
この鍔部の平面視形状は、自由に設計することができる。
【００２２】
中間部支柱部材１６は、金属製角材から形成され、その中間部の１箇所又は２箇所にひねり模様からなる装飾部１７が設けられている。
この装飾部１７の装飾模様又は装飾形態は自由に設けることができる。
【００２３】
前記中間部支柱部材１６の上端部は、前記手摺部材１０に溶接着される。
他方、その下端部は、下端支持部材２０によって支持され、固定される。
【００２４】
この支持部材２０は、後の図２によって再度説明するが、平面視略円形の外形形状を有し、その中央に平面視角型形状の受容穴部が形成され、その受容穴部は有底で、底面部を有し、その底面部の中央部に螺子挿通孔が設けられたものである。
この受容穴部に前記中間部支柱部材１６の下端部が嵌入し、固定されることとなるのである。
【００２５】
図２は、上記実施形態に係る中間部支柱部材とその下端部を固定する下端支持部材を示しており、その（Ａ）が正面図、その（Ｂ）が下端支持部材の平面図である。
【００２６】
この実施形態に係る下端支持部材２０は、平面視略円形の外形形状を有し、その中央部に四角形（角型）の受容穴部２１が形成され、この受容穴部２１は、貫通しておらずに底面部２２を有している。
そして、この底面部２２の中央部には、螺子挿通孔２３が穿設され、この螺子挿通孔２３を介して螺子により階段の踏面等に螺着されるのである。
【００２７】
この実施形態では、中間部支柱部材１６として金属製角材を使用しており、下端支持部材２０には、前記角型の角材の外形形状に合致する四角形の受容穴部２１が設けられ、前記中間部支柱部材１６の下端部が前記受容穴部２１内に嵌入又は嵌合して、固定される。
【００２８】
この実施形態では、受容穴部２１の深さが適宜長さ分設けられており、しかもそれぞれ金属製のために、両者の嵌合は堅固な固定となり、その強度を維持することができる。
【００２９】
図３は、他の実施形態に係る手摺を室内階段部分の下端部分に設置した状態を図示した説明図である。
尚、この図に示した実施形態においては、手摺部材の左端部の形状、及び、その中間部支柱部材の中央に位置するものの形態が、上記実施形態のものと相違するのみである。
【００３０】
即ち、手摺部材１０の左端部は、下方に向かって湾曲し、その最下端で上方に向かって湾曲しつつ巻回するような形態を有している。装飾性を向上させるためである。
他方、手摺部材１０の右端部の固定部１２は、前記図１のものと同じ形態である。
【００３１】
端部側支柱部材１３の形態も前記図１と同様である。
３本の中間部支柱部材１６の内、その中央の中間部支柱部材１６の装飾部１８の装飾態様が前記図１のものと異なっており、いわば唐草模様をあしらったものとなっている。
これらの中間部支柱部材１６の下端部は、上記図１及び図２に示した下端支持部材２０と同一形態である。
【００３２】
以上の構成に基づき、上記実施形態に係る手摺を階段部に設置する手順について以下再度説明する。
先ず、顧客の注文に応じて、それに応じた端部側支柱部材１３及び中間部支柱部材１６を選択して、その上端部を手摺部材１０に溶接着する。
【００３３】
ここで、勿論のことではあるが、手摺部材、端部側支柱部材及び中間部支柱部材のデザインを選択し決定しておき、設置場所である階段部の寸法や段数等は予め採寸等を行って、これに合致するように各構成部材の寸法等を決定しておくのである。
【００３４】
設置場所の階段の第２段目から第４段目の踏面Ｓの側縁部に下端支持部材２０を螺子により固定する。
下端支持部材２０の受容穴部の底面部中央には螺子挿通孔が設けれており、これを介して螺子によりこの下端支持部材２０を階段の踏面Ｓに螺着し固定することができる。
【００３５】
次に、上記溶接着された手摺部材１０、端部側支柱部材１３及び中間部支持部材１６を階段の側縁部に配置し、それぞれの中間部支柱部材１６の下端部を前記下端支持部材２０の受容穴部内に嵌入させる。
【００３６】
その後に端部側支柱部材１３の下端固定部１４及び手摺部材１０の右端部の固定部１２を螺子により螺着し固定する。
以上により設置が完了し、中間部支柱部材１６は、螺子等の固定部材によって固定はされていないが、十分な強度を維持しつつ固定されることとなるのである。
【００３７】
このように、本考案においては、予め各構成部材を規格化し或いはユニット化しておくことができ、顧客の希望に応じてまた設置場所に応じて、これらの構成部材から適切なものを選択して組合せ、そして階段や廊下等の室内の所望箇所に簡単に設置することができるものとなるのである。
【００３８】
以上、本考案の実施形態について説明したが、本考案においては以下の通り種々設計変更することができる。
各構成部材である手摺部材、端部側支柱部材、中間部支柱部材、及び、下端支持部材の形態及びサイズは、適宜必要に応じて設計変更することができる。
【００３９】
端部側支柱部材及び中間部支柱部材は、それぞれの太さを異ならせることもできる。
例えば、端部側支柱部材の太さを中間部支柱部材のそれよりも太くすることもできる。
端部側支柱部材及び中間部支柱部材は、上記実施形態では金属製角材を使用したが、これが金属製の角型パイプ又は金属製丸パイプ若しくは金属製丸棒であってもよい。
【００４０】
中間部支柱部材に設ける装飾形態も自由に設計変更することができ、その設ける箇所も自由である。
勿論、端部側支柱部材の中間部に装飾を施してもよい。
中間部支柱部材の下端部を支持する下端支持部材の外形形状も自由に設計変更することができ、その外表面に設ける装飾も自由に設計することができる。
【００４１】
以上、本考案は、簡易な構成ではあるが、特にその中間部支柱部材として特別な固定手段を用いずに、その下端部を下端支持部材の受容穴部に嵌め込むだけで簡単に組み付けることができ、極めて簡単に設置施工が可能で、しかも、規格化又はユニット化も可能な極めて便利な室内用手摺を提供することができたものである。
【符号の説明】
【００４２】
１０  手摺部材
１１  左端部（手摺部材の）
１２  固定部（手摺部材の）
１３  端部側支柱部材
１４  下端固定部
１６  中間部支柱部材
１７、１８  装飾部
２０  下端支持部材
２１  受容穴部
２２  底面部
２３  螺子挿通孔
【図１】
0003184848.tif 000003
【図２】
0003184848.tif 000004
【図３】
0003184848.tif 000005